(57)【要約】【課題】原稿が最適な複写モードで複写されたかどうかを確認するために、ユーザは、全複写物を一枚づつ見て、各原稿が各原稿に最適な複写モードで行われたかどうかを確認する必要がある。全複写物を１枚づつ見ることは、ユーザにとって非常に面倒なことである。【解決手段】画像形成装置は、原稿の種類を判別して原稿の種類に対応する複写モードを決定し、決定した複写モードとユーザが指定した複写モードを比較する。複写モードが一致しない場合、最適でない複写モードで複写が行われる可能性があるので、一致しない場合と一致した場合の複写物の排紙形態を異ならせる。【選択図】図１
2005072833.tif 000002
【特許請求の範囲】
【請求項１】
原稿を読み取る原稿読取手段と、読み取られた原稿を予めユーザに指定された複写モードで複写する複写手段を備えた画像形成装置において、
上記原稿の種類を判別する判別手段と、
判別された種類に対応する複写モードと、予めユーザに指定された複写モードを比較する比較手段と、
上記比較結果に基づいて、上記原稿の複写物の排紙形態を決定する排紙形態制御手段を備えたことを特徴とする画像形成装置。
【請求項２】
判別された原稿の種類に対応する複写モードと、ユーザに予め指定された複写モードが異なる場合、何れの複写モードで原稿を複写するかをユーザに問い合わせる問合手段と、
上記複写手段は、上記問い合わせ結果に従った複写モードで原稿を複写する請求項１に記載の画像形成装置。
【発明の詳細な説明】
【技術分野】
【０００１】
本発明は、プリンタ、複写機、複合機等の画像形成装置に関する。
【背景技術】
【０００２】
文字・写真、文書と写真が混在した原稿など、原稿の種類に対応した複写モードを用意して、各種原稿に対応した複写モードで原稿を複写することにより高画質での複写を実現する画像形成装置が製品化されている。このような画像形成装置における複写モードの選択は、特開２００２−２４７３９２号公報に記載されているように原稿を読み取った時に画像形成装置が当該原稿の種類に基づいて決定したり、ユーザが原稿に最適な複写モードを判断して画像形成装置にその複写モードを入力することで行われる。
【０００３】
しかし、ユーザが最適な複写モードの判断を間違ったり、複写モードの入力の際に誤った操作を行ったり、又は画像形成装置が、最適な複写モードの判断を誤った場合、最適でない複写モードで複写が行われる。
【０００４】
最適でない複写モードで複写されると複写物の画質は悪いので、上記の画像形成装置においては、画質が悪い複写物が生成される可能性がある。そのため、ユーザは、全複写物を一枚づつ見て、各原稿の複写が各原稿に最適な複写モードで行われたかどうかを確認する必要がある。
【０００５】
画質の悪い複写物があると、ユーザは、当該原稿に最適なモードを再度検討し、最適な複写モードを画像形成装置に入力して再度原稿を複写させる。
【特許文献１】特開２００２−２４７３９２号公報
【発明の開示】
【発明が解決しようとする課題】
【０００６】
しかし、各原稿が最適な複写モードで複写されているかどうかを確認するために、全複写物を１枚づつ見ることは、ユーザにとって非常に面倒なことである。  
【０００７】
本発明は、原稿に最適なモードで複写されているかどうかの確認を簡略化できる画像形成装置を提供することを目的とする。
【課題を解決するための手段】
【０００８】
本発明の画像形成装置は、原稿の種類を判別する判別手段を備える。上記判別手段は、原稿の種類を判別すると、原稿の種類に対応する複写モードを決定する。上記判別手段が決定した複写モードは、比較手段によって、ユーザが原稿に最適と判断して予め指定した複写モードと比較される。ユーザが予め指定した複写モードとは、ユーザが所定の複写モードを指定した場合は、ユーザが指定した複写モードとなり、ユーザが何も指定しない場合は、ユーザが何も指定しない場合に複写に用いられる複写モードである。
【０００９】
ユーザが予め指定した複写モードと上記判別手段の判別が正しい場合、ユーザが予め指定した複写モードと、上記判別手段が決定した複写モードが一致する。２つの複写モードが一致する場合、画像形成装置は、ユーザが予め指定した複写モードで原稿を複写する。
【００１０】
一方、ユーザが予め指定した複写モードと上記判別手段が決定した複写モードが一致しない場合いずれかのモードが適当でない可能性が高い。
【００１１】
複写物の排紙を制御する排紙制御手段は、２つの複写モードが一致した場合と一致しない場合の排紙形態を異ならせる。複写物の排紙形態を異ならせることで、ユーザの判断又は上記判別手段の判別に誤りがある原稿の複写物とそうでない原稿の複写物とをユーザが容易に識別できる。
【００１２】
そのため、ユーザは、全部の原稿を見ずに、ユーザが予め指定した複写モード又は上記判別手段の判別が正しい原稿の複写物と排紙形態が異なる複写物のみを見れば、原稿全部が各原稿に最適な複写モードで複写が行われたかどうかを確認することができる。
【００１３】
また、２つの複写モードが一致しない場合、複写する前に複写モードをユーザに問い合わせ、ユーザが指示した複写モードで複写すると、原稿に最適でない複写モードでの複写を防ぐことができる。最適でない複写モードでの複写を防ぐことができるので、最適な複写モードでの複写を行うために複写をやり直す必要もない。
【発明の効果】
【００１４】
複写物の排紙を制御する排紙制御手段は、２つの複写モードが一致した場合と一致しない場合の排紙形態を異ならせる。複写物の排紙形態を異ならせることで、ユーザの判断又は上記判別手段の判別に誤りがある原稿の複写物とそうでない原稿の複写物とをユーザが容易に識別できる。
【発明を実施するための最良の形態】
【００１５】
（実施の形態１）
本実施の形態の画像形成装置へのユーザの指示の入力は、画像形成装置に備えられた操作手段で行われる。本実施の形態の画像形成装置１００は、図１に示す操作パネル１０１が上記操作手段として採用されている。この操作パネル１０１の初期画面例を図２に示す。
【００１６】
画像形成装置１００を用いて例えば５ページの原稿を複写する場合、ユーザは、先ず５ページの原稿を原稿台に載置する。原稿を載置すると、ユーザは自分で判別した原稿の種類に最適な複写モードを操作パネル１０２の初期画面から指定する。図２に示すように、操作パネル１０１の初期画面に、文字モード２０１、写真モード２０２、文字・写真モード２０３の３つの複写モードが表示される。例えば、原稿が文書からなると判別した場合、ユーザは、文字モード２０１を指定し、原稿が写真等の画像であると判別した場合は、写真モード２０２を指定し、原稿に文書と写真等の画像が混在していると判別した場合は、文字・写真モード２０３を指定する。以下においては、ユーザが文字モード２０１を指定したものとする。
【００１７】
文字モード２０１を指定すると、ユーザは、複写ボタン２０４を押下する。複写ボタン２０４が押下されると、ユーザが指定した文字モードが指定手段１０５に通知され、複写ボタン２０４が押下された旨が原稿読取手段１０２に通知される。文字モードが指定されたことが通知されると、上記指定手段１０５は、文字モードが指定されたことを記憶する（図３、Ｓ３０１）。
【００１８】
複写モードの指定が面倒な場合などは、ユーザは複写モードの指定を行なわずに複写ボタン２０４を押下してもよい。この場合、上記指定手段１０５に、複写モードの指定が行われなかった旨が通知される。この旨が通知されると、上記指定手段１０５は、予め定められた１つの複写モードがユーザに指定されたものとみなす。
【００１９】
上記原稿読取手段１０２は、複写ボタン２０４が押下された旨が通知されると、原稿台に載置された５ページの原稿を１枚づつ読み取る（図３、Ｓ３０２）。上記原稿読取手段１０２は、各ページの原稿を読み取って得た各画像データに画像データを識別するための識別番号を対応付けて判別手段１０４に入力する。また、上記原稿読取手段１０２は、各ページの原稿の画像データ４０１、識別番号４０２、原稿の載置された向き４０５を図４に示すように記憶手段１０３に記憶させる。
【００２０】
各ページの原稿の画像データ４０１と識別番号４０２が入力されると、上記判別手段１０４は、入力された画像データ４０１を１枚づつ解析して、画像データ４０１に対応する原稿の種類を判別する（図３、Ｓ３０３）。
【００２１】
原稿の種類を判別すると、上記判別手段１０４は、判別した種類に対応する複写モードを決定する。対応する複写モードが無い場合、上記判別手段１０４は、対応する複写モードに最も近い複写モードを判別した原稿の種類に対応する複写モードと決定する。
【００２２】
例えば、上記判別手段１０４は、１ページ目の原稿に対応する複写モードが文字モードであると決定すると、１ページ目の原稿に対応する画像データ４０１と識別番号４０２と文字モードを対応付けて比較手段１０６に入力する。
【００２３】
画像データ４０１と識別番号４０２と文字モードが入力されると、上記比較手段１０６は、上記指定手段１０５にユーザが指定した複写モードを問い合わせる。ユーザが指定した複写モードの問合せがあると、上記指定手段１０５は、上記比較手段１０６にユーザが指定した複写モードとして文字モードを通知する。
【００２４】
上記比較手段１０６は、上記判別手段１０４から画像データ４０１と識別番号４０２と共に入力された複写モードと上記指定手段１０５から通知された複写モードを比較する（図３、Ｓ３０４）。上記のように、上記判別手段１０４から画像データ４０１と識別番号４０２と共に入力された複写モードは文字モードであり、上記指定手段１０５から入力された複写モードも文字モードである。
【００２５】
このように両方の複写モードが一致する場合、上記比較手段１０６は、複写モードが一致するかどうかを判断した画像データの前のページの画像データ４０１が文字モードと対応付けられて上記記憶手段１０３に記憶されているかどうか判断する（図３、Ｓ３０５）。ここでは、判断ステップ３０４における判断対象が１ページ目の原稿であるので、前のページが存在しない。判断対象が１ページ目の場合、例外的に判断ステップ３０５を経ずに、上記比較手段１０６は１ページ目の原稿の識別番号４０２と文字モードが対応付けられていない旨を複写手段１０８と排紙制御手段１０９に通知する。
【００２６】
上記排紙制御手段１０９は、識別番号４０２と文字モードが対応付けられていないことが通知されると、通知された識別番号４０２と対応付けて上記記憶手段１０３に記憶された原稿の向き４０５に対応した用紙を上記複写手段１０８に供給する。用紙を供給すると、上記排紙制御手段１０９は、供給した用紙の向きを排紙記憶手段１１０に記憶させる。
【００２７】
上記複写手段１０８は、上記比較手段１０６から１ページ目の原稿の識別番号４０２と文字モードが通知されると、１ページ目の識別番号４０２と対応付けて上記記憶手段１０３に記憶されている１ページ目の画像データ４０１を取得する。上記複写手段１０８は、取得した１ページ目の画像データ４０１に文字モードに従った画像処理を施す。上記複写手段１０８は、文字モードに従った画像処理を施した画像データを上記排紙制御手段１０９から供給された用紙に印刷する。これにより原稿が文字モードで複写されたことになる（図３、Ｓ３０６）。
【００２８】
識別番号４０２と文字モードを上記複写手段１０８に通知した後、上記比較手段１０６は、原稿に２ページ目があるかどうかを上記判別手段１０４に問い合わせる（図３、Ｓ３０７）。
【００２９】
ところで判断ステップ３０４において、ユーザの指定した複写モードが原稿に最適な複写モードであり、上記判別手段１０４が判別が正しい場合、２つの複写モードは一致する。しかし、ユーザの原稿の種類の判断や初期画面における複写モードの指定の際の操作、又は、上記判別手段１０４の原稿の種類の判別に誤まりがあると、２つの複写モードが一致しない。
【００３０】
上記判断ステップ３０４において、複写モードが一致しない場合、上記比較手段１０６は、ユーザが指定した文字モードを、図４に示すように、１ページ目の識別番号４０２に対応付けて上記記憶手段１０３に記憶させる（図３、Ｓ３０８）。文字モードを記憶させると、上記比較手段１０６は、ステップ３０７に移行する。
【００３１】
以上のように、上記判断ステップ３０４において複写モードが一致すると判断された場合、画像データ４０１が印刷され、一致しないと判断された場合、画像データに文字モード４０１が対応付けられ、画像データは印刷されない。      
【００３２】
本実施の形態では原稿が５ページからなっているので、ステップ３０７の問合せに対して、上記判別手段１０４は２ページ目がある旨の応答をする。
【００３３】
２ページ目がある旨の応答をすると、上記判別手段１０４は、２ページ目の原稿の画像データ４０１と識別番号４０２と２ページ目の原稿に対応する複写モードを上記比較手段１０６に入力する。このようにして、各ページの画像データ４０１と識別番号４０２と原稿に対応する複写モードが上記比較手段１０６に入力される。
【００３４】
２ページ目以降の原稿の画像データ４０１と識別番号４０２と原稿に対応する複写モードが入力されると、１ページ目の原稿の画像データ４０１が入力されたときと同じように、上記比較手段１０６は、上記判別手段１０４が決定した複写モードがユーザの指定した文字モードと一致するかどうかを比較する（図３、Ｓ３０４）。
【００３５】
一致しない場合、上記比較手段１０６は、２ページ目以降の原稿についても、１ページ目の原稿と同じように、文字モードを画像データ４０１に対応付けて上記記憶手段１０３に記憶させる（図３、Ｓ３０８）。
【００３６】
一致する場合、上記比較手段１０６は、上記記憶手段１０３を参照して、複写モードが一致するかどうかの判断対象となった画像データの前のページの画像データ４０１に文字モードが対応付けられて記憶されているかどうかを判断する（図３、Ｓ３０５）。
【００３７】
文字モードが対応付けられて記憶されていない場合、上記比較手段１０６は、上記複写手段１０８と上記排紙制御手段１０９に上記判別手段１０４から入力された識別番号４０２と文字モードが記憶されていない旨を通知する。
【００３８】
識別番号４０２と文字モードが記憶されていない旨が通知されると、上記排紙制御手段１０９は、上記排紙記憶手段１１０に記憶された向きで用紙を上記複写手段１０８に供給する。
【００３９】
上記比較手段１０６から識別番号４０２と文字モードが記憶されていない旨が通知されると、上記複写手段１０８は、識別番号４０２と対応付けられて上記記憶手段１０３に記憶されている画像データ４０１を取得する。上記複写手段１０８は、取得した画像データ４０１に文字モードに従った画像処理を施す。その後、上記複写手段１０８は、文字モードに従った画像処理を施した画像データを上記排紙制御手段１０９から供給された用紙に印刷する（図３、Ｓ３０６）。  
【００４０】
判断ステップ３０５において、文字モードが対応付けられて記憶されていると判断すると、上記比較手段１０６は、上記判別手段１０４から入力された識別番号４０２と文字モードが記憶されている旨を上記排紙制御手段１０９と上記複写手段１０８に通知する。
【００４１】
文字モードが記憶されている旨と識別番号４０２が通知されると、上記排紙制御手段１０９は、上記排紙記憶手段１１０に記憶された向きを例えば９０°変更する（図３、Ｓ３０９）。記憶された向きを９０°変更すると、上記排紙制御手段１０９は、通知された識別番号４０２と対応付けて上記記憶手段１０３に記憶されている画像データ４０１の縦横を変換する。画像データ４０１を変換すると、上記排紙制御手段１０９は、上記複写手段１０８に変換が終了した旨を通知する。更に、画像データ４０１を変換すると、上記排紙制御手段１０９は、上記排紙記憶手段１１０に記憶された向きの用紙を上記複写手段１０８に供給する。
【００４２】
上記変換が終了した旨が上記排紙制御手段１０９から通知されると、上記複写手段１０８は、上記比較手段１０６から通知された識別番号４０２と対応付けて上記記憶手段１０３に記憶された画像データ４０１を取得する。上記複写手段１０８は、取得した画像データ４０１に文字モードに従った画像処理を施し、画像処理を施した画像データ４０１を上記排紙制御手段１０９から供給された用紙に印刷する（図３、Ｓ３０６）。
【００４３】
このように前のページの画像データ４０１に複写モードが対応付けられ記憶されている場合、前のページの画像データ４０１がこの時点では印刷されていない。前のページの画像データ４０１が印刷されていない場合、画像データ４０１と用紙の向きを変えて複写物の排紙形態を変えることで、この時点で印刷されていない原稿が、どのページの原稿の前のページの原稿であるかをユーザが容易に識別することができる。
【００４４】
ステップ３０７において、次のページが無い旨の応答が上記判別手段１０４からあると、上記比較手段１０６は、上記問合手段１０７に問合せの要求をする。
【００４５】
問合せの要求があると、上記問合手段１０７は、上記記憶手段１０３を参照して文字モード４０３が対応付けて記憶された画像データ４０１があるかどうかを判断する（図３、Ｓ３１０）。
【００４６】
ない場合、全ての原稿の複写が完了していることになるので、この時点で複写処理が終了する。
【００４７】
ある場合、上記問合手段１０７は、文字モード４０３が対応付けられた各画像データ４０１をどの複写モードで複写するかについてユーザに問い合わせる（図３、Ｓ３１１）。この問合せは、例えば操作パネル１０１を介してして行う。
【００４８】
例えば、図４に示すように、文字モード４０３が対応付けて記憶された画像データ４０１があると、上記問合手段１０７は、図５に示すように文字モード４０３が対応付けられた各画像データ４０１と、当該画像データ４０１に対応付けられた識別番号４０２を操作パネル１０１に表示する。
【００４９】
画像データ４０１等が表示されると、ユーザは、表示された画像データ４０１や識別番号４０２と対応する原稿を見て、原稿に最適と考える複写モードを検討する。例えば、画像データが表示されたある原稿に最適な複写モードが写真モードであると判断すると、ユーザは、表示された画像データ４０１から写真モードと判断した画像データ４０１を選択し、写真モード５０２を選択する。
【００５０】
このように、複写モードが一致しなかった原稿の画像データ４０１のみが表示されるので、ユーザは各原稿が最適な複写モードで複写されているかどうかを確認するために全部の原稿の画像データを見なくてすむので、この確認を効率よく行うことができる。
【００５１】
なお、表示された全ての画像データ４０１の複写モードをまとめて変更する場合、操作の効率を向上させるために、全画像データ４０１を１つづつ選択するのではなく、一括変更キー５０５を押下することで行われるようにしてもよい。
【００５２】
ユーザは、表示された全ての画像データ４０１の複写モードを選択し終えると、選択終了キー５０４を押下する。
【００５３】
選択終了キー５０４が押下されると、各画像データ４０１の識別番号４０２に選択された複写モードが対応付けられて上記問合手段１０７に入力される。
【００５４】
各画像データの識別番号４０２と複写モードが入力されると、上記問合手段１０７は、入力された識別番号４０２に対応付けられて上記記憶手段１０３に記憶された文字モード４０３を入力された複写モードに変更する。複写モードを変更すると、上記問合手段１０７は、上記排紙制御手段１０９に排紙要求を出し、上記複写手段１０８に画像処理要求を出す。
【００５５】
上記排紙要求が出されると、上記排紙手段１０９は、上記排紙記憶手段１１０に記憶された向きを９０°変更する。記憶された向きを９０°変更すると、上記排紙制御手段１０９は、複写モードが対応付けて上記記憶手段１０３に記憶された画像データ４０１の縦横を変換する。画像データ４０１を変換すると、上記排紙制御手段１０９は、上記複写手段１０８に変換が終了した旨を通知する。更に、画像データ４０１を変換すると、上記排紙制御手段１０９は、上記排紙記憶手段１１０に記憶された向きで用紙を上記複写手段１０８に供給する。
【００５６】
上記変換が終了した旨が通知されると、上記複写手段１０８は、複写モードが対応付けて上記記憶手段１０３に記憶された画像データ４０１を取得する。上記複写手段１０８は、取得した画像データ４０１に対応付けて上記記憶手段１０３に記憶された複写モードに従った画像処理を施す。上記複写手段１０８は、画像処理を施した画像データ４０１を上記排紙制御手段１０９から供給された用紙に印刷する（図３、Ｓ３０６）。
【００５７】
このように、判断ステップ３０４において複写モードが一致しない画像データは、判断ステップ３０４において複写モードが一致した画像データが印刷されてから印刷される。複写モードが一致しない画像データの印刷の際に、画像データと用紙の向きを変えて印刷することで、ユーザは、複写モードが一致しなかった画像データが印刷された用紙を容易に認識することができる。
【００５８】
上記のように、本実施の形態においては、判断ステップ３０４において複写モードが一致しない原稿は、上記問合手段１０７の問合によりユーザが応答した複写モードで複写が行われている。そのため、原稿が最適でない複写モードで複写されていない可能性は低い。
【００５９】
しかし、上記問合手段１０７の問合せに対してユーザが選択した複写モードが原稿に最適でない複写モードである場合も考えられる。そのため、判断ステップ３０４において複写モードが一致しなかった画像データが最適な複写モードで複写されたかどうかを確認するためには、ユーザは判断ステップ３０４において複写モードが一致しなかった画像データが印刷された用紙を見て判断しなければならない。上記のように、判断ステップ３０４において複写モードが一致しなかった画像データを印刷した用紙をユーザが認識することができるように排紙されているので、ユーザは、原稿に最適な複写モードで複写が行われたかどうかを判断するために、画像データが印刷された全部の用紙を見る必要はない。
【００６０】
上記では、問合せに応じてユーザが選択した複写モードで複写が行われているが、この問合せをしなくてもよい。例えば、上記比較手段１０６が一致すると判断した場合と一致しないと判断した場合とで、上記排紙制御手段１０９は、上記複写手段１０８に供給する用紙の向きの変更や、画像データ４０１の縦横の変換をするかどうかを決定する。問合せなしに容姿に画像データを印刷しても、その決定に従って用紙を排出すれば、ユーザは、不適当なモードで印刷された可能性のある用紙を容易に特定することができる。
【００６１】
（実施の形態２）
実施の形態１では、原稿が複写される用紙の向きを変えることで、複写モードが一致しなかった原稿と一致した原稿の複写物を識別し易いようにしている。本実施の形態においては、用紙が排紙される排紙トレイを変えることにより、複写モードが一致しなかった原稿と一致した原稿の複写物を識別し易くする場合について説明する。  
【００６２】
本実施の形態においては、画像形成装置１００は排紙トレイを多数備えている。上記排紙記憶手段１１０が記憶する内容は、用紙の向きでなく、排紙トレイを識別するための排紙トレイ識別番号である。
【００６３】
実施の形態１のように、上記比較手段１０６には、上記判別手段１０４から画像データ４０１と識別番号４０２と原稿に対応する複写モードが入力される。画像データ４０１と識別番号４０２と原稿に対応する複写モードが入力されると、上記比較手段１０６は、上記判別手段１０４が決定した複写モードがユーザの指定した文字モードと一致するかどうかを比較する（図３、Ｓ３０４）。
【００６４】
一致しない場合、実施の形態１と同じように上記比較手段１０６は、識別番号４０２に文字モードを対応付けて上記記憶手段１０３に記憶させる。
【００６５】
一致する場合、上記比較手段１０６は、上記記憶手段１０３を参照して、複写モードが一致するかどうかの判断対象となった画像データの前のページの画像データ４０１に文字モードが対応付けられて上記記憶手段１０３に記憶されているかどうかを判断する（図６、Ｓ６０１）。
【００６６】
文字モードが対応付けられて記憶されていない場合、上記比較手段１０６は、文字モードが記憶されていない旨を上記排紙制御手段１０９に通知し、文字モードが記憶されていない旨と識別番号４０２を上記複写手段１０８に通知する。判断ステップ３０４における判断対象が１ページ目の原稿である場合は前のページが存在しない。判断対象が１ページ目の場合、例外的に判断ステップ６０１を経ずに、上記比較手段１０６は文字モードが記憶されていない旨を上記排紙制御手段１０９に通知し、文字モードが記憶されていない旨と識別番号４０２を上記複写手段１０８に通知する。  
【００６７】
前のページの画像データ４０１に文字モードが対応付けて記憶されていないということは、前のページの画像データについての判断ステップ３０４における判断結果が、複写モードが一致したことを示す。従って、前のページと現在のページ共に、判断ステップ３０４における判断結果は、複写モードが一致することになる。つまり、前のページと現在のページにおけるユーザの複写モードの指定及び判別手段１０４の原稿の種類の判別が正しいことになる。よって、本実施の形態では、複写モードが一致しなかった原稿と一致した原稿の複写物を識別し易くすることが目的であるので、前のページの画像データが印刷された用紙と現在のページが印刷された用紙を区別して排紙する必要はない。本実施の形態では、このような場合、原稿が複写された用紙は、前のページの原稿の複写物と同じ排紙トレイに排紙する。
【００６８】
同じ排紙トレイに排紙するために、文字モードが記憶されていない旨が通知されると、上記排紙制御手段１０９は、上記排紙記憶手段１１０に記憶された排紙トレイ識別番号をインクリメントしない。上記排紙記憶手段１０９は、上記排紙制御手段１１０に記憶された排紙トレイ番号を上記複写手段１０８に通知して、上記複写手段１０８に用紙を供給する。
【００６９】
上記比較手段１０６から識別番号４０２と文字モードが記憶されていない旨が通知された場合、上記複写手段１０８は、識別番号４０２と対応付けられて上記記憶手段１０３に記憶されている画像データ４０１を取得する。上記複写手段１０８は、取得した画像データ４０１に文字モードに従った画像処理を施す。その後、上記複写手段１０８は、文字モードに従った画像処理を施した画像データを上記排紙制御手段１０９から供給された用紙に印刷する。画像データを印刷した用紙を上記排紙制御手段１０９から通知された排紙トレイ識別番号の排紙トレイに排紙する（図３、Ｓ３０６）。
【００７０】
上記比較手段１０６は、文字モードが記憶されている旨を上記排紙制御手段１０９に通知し、上記複写手段１０８に文字モードが記憶されている旨と識別番号４０２を通知すると、ステップ３０７に移行する。
判断ステップ６０１において、文字モードが対応付けられて記憶されていると判断すると、上記比較手段１０６は、文字モードが記憶されている旨を上記排紙制御手段１０９に通知し、上記複写手段１０８に文字モードが記憶されている旨と識別番号４０２を通知する。
この場合、文字モードが対応付けられた記憶されているので、前のページについては、判断ステップ３０４において複写モードが一致しないと判断されていることになる。そのため、現在のページの画像データが印刷された用紙と、前のページの画像データが印刷された用紙を区別して排紙する必要がある。
【００７１】
文字モードが記憶されている旨が通知されると、上記排紙制御手段１０９は、上記排紙記憶手段１１０に記憶された排紙トレイ識別番号をインクリメントする（図６、Ｓ６０２）。上記排紙記憶手段１０９は、インクリメントした排紙トレイ番号を上記複写手段１０８に通知して、上記複写手段１０８に用紙を供給する。
【００７２】
上記比較手段１０６から識別番号４０２と文字モードが記憶されている旨が通知されると、上記複写手段１０８は、上記のように画像データ４０１を取得して、文字モードに従った画像処理を施す。上記複写手段１０８は、文字モードに従った画像処理を施した画像データを上記排紙制御手段１０９から供給された用紙に印刷し、上記排紙制御手段１０９から通知された排紙トレイ識別番号の排紙トレイに排紙する（図３、Ｓ３０６）。
【００７３】
上記比較手段１０６は、文字モードが記憶されている旨を上記排紙制御手段１０９に通知し、上記複写手段１０８に文字モードが記憶されている旨と識別番号４０２を通知すると、ステップ３０７に移行する。
【００７４】
ステップ３０４において複写モードが一致しないと判断した場合、上記比較手段１０６は、実施の形態１のように文字モードを画像データ４０１に対応付けて上記記憶手段１０３に記憶させる。更に、本実施の形態では、上記比較手段１０６は、複写モードが一致するかどうかの判断対象となる画像データ４０１の前のページの画像データ４０１に文字モードが対応付けられて上記記憶手段１０３に記憶されているかどうかを判断する（図３、Ｓ６０３）。
【００７５】
文字モードが対応付けられて記憶されていない場合、上記比較手段１０６は、上記排紙制御手段１０９に、複写モードが一致せず、且つ文字モードが記憶されていない旨と識別番号４０２を通知する。この場合、前のページについては、判断ステップ３０４において複写モードが一致すると判断され、現在のページについては複写モードが一致しないと判断されている。よって、前のページの画像データが印刷された用紙と、現在のページの画像データが印刷された用紙を区別して排紙する必要がある。
【００７６】
複写モードが一致せず、且つ文字モードが記憶されていない旨と識別番号４０２が通知されると、上記排紙制御手段１０９は、上記排紙記憶手段１１０に記憶された排紙トレイ識別番号をインクリメントする（図６、Ｓ６０４）。上記排紙制御手段１０９は、インクリメントした排紙トレイ識別番号を通知された識別番号４０２に対応付けて上記記憶手段１０３に記憶させる。
【００７７】
上記比較手段１０６は、複写モードが一致せず、且つ文字モードが記憶されていない旨と識別番号４０２を上記排紙制御手段１０９に通知すると、ステップ３０７に移行する。
【００７８】
ステップ６０３において文字モードが対応付けられて記憶されていると判断すると、上記比較手段１０６は、複写モードが一致せず、且つ文字モードが記憶されている旨と識別番号４０２を上記排紙制御手段１０９に通知する。
【００７９】
この場合、前のページも現在のページについても複写モードが一致しないと判断ステップ３０４において判断されている。よって、前のページの画像データが印刷された用紙と、現在のページの画像データが印刷された用紙を区別して排紙する必要は無い。
【００８０】
複写モードが一致せず、且つ文字モードが記憶されている旨と識別番号４０２が通知されると、上記排紙制御手段１０９は、上記排紙記憶手段１１０に記憶された排紙トレイ識別番号をインクリメントしない。上記排紙制御手段１０９は、上記排紙記憶手段１０９に記憶された排紙トレイ番号を通知された識別番号４０２に対応付けて上記記憶手段１０３に記憶させる。
【００８１】
上記比較手段１０６は、複写モードが一致せず、且つ文字モードが記憶されている旨と識別番号４０２を上記排紙制御手段１０９に通知すると、ステップ３０７に移行する。
【００８２】
複写モードが一致しない原稿は、実施の形態１のように複写モードが一致する原稿の複写が行われてから複写される。上記複写手段１０８は、複写モードが一致しない原稿を複写すると、当該原稿の画像データ４０１と対応付けられた上記記憶手段１０３に記憶された排紙トレイ番号の排紙トレイに複写物を排紙する。
【００８３】
以上のように、ユーザの複写モードの指定、又は上記判別手段１０４の判別に誤りがあった原稿の複写物と、ユーザの複写モードの指定及び上記判別手段１０４の判別に誤りがなかった原稿の複写物が異なる排紙トレイに排紙される。よってユーザは、ユーザの複写モードの指定、又は上記判別手段１０４の判別に誤りがあった原稿の複写物とそうでない原稿の複写物を容易に識別することができる。
【図面の簡単な説明】
【００８４】
【図１】本発明の画像形成装置の機能ブロック図である。
【図２】操作パネルの初期画面を示す模式図である。
【図３】実施の形態１における複写形態を示すフローチャートである。
【図４】記憶手段の記憶する内容を示した図である。
【図５】複写モードをユーザに問い合わせる際の操作パネルの画面例である。
【図６】実施の形態２における複写形態を示すフローチャートである。
【符号の説明】
【００８５】
１００  画像形成装置
１０１  操作パネル
１０２  原稿読取手段
１０３  記憶手段
１０４  判別手段
１０５  指定手段
１０６  比較手段
１０７  問合手段
１０８  複写手段
１０９  排紙制御手段
【図１】
2005072833.tif 000003
【図２】
2005072833.tif 000004
【図３】
2005072833.tif 000005
【図４】
2005072833.tif 000006
【図５】
2005072833.tif 000007
【図６】
2005072833.tif 000008